(57)【特許請求の範囲】
【請求項１】
玄関に設置され居室呼出を行なう子機（１）及び個人識別を行なう個人識別装置（５、１０）が、伝送線（Ｌ）を介して前記子機から呼出され通話する居室親機（３）と接続され、
前記居室親機は、前記子機での呼出操作および前記個人識別装置での識別操作による電圧変化を検出する電圧検出回路（４１）と、前記電圧検出回路の検出結果に基づいて前記子機で呼出操作されたとき前記子機とのデータ送受信を行なうための子機側データ送受信回路（３７）及び前記個人識別装置で識別操作されたとき前記個人識別装置とのデータ送受信を行なうための個人識別装置側データ送受信回路（３８）にそれぞれ電源供給制御を行なう親機ＣＰＵ（４４）とを備えることを特徴とするインターホンシステム。
【請求項２】
前記子機及び前記個人識別装置は、前記伝送線に対して同一の電圧変化を起こす第１、第２の呼出回路（１１、５１）をそれぞれ設け、
前記電圧検出回路は、電圧変化を検出すると前記個人識別装置側データ送受信回路に電源供給を行なって前記個人識別装置との通信を試行し、通信に成功した場合には前記個人識別装置からの識別操作があったと認識して前記個人識別装置とのデータ送受信を開始し、通信に失敗した場合には前記子機からの呼出操作があったと認識して前記子機側データ送受信回路に電源供給を行なって前記子機とのデータ送受信を開始するとともに呼出を前記居室親機で報知することを特徴とする請求項１記載のインターホンシステム。
【請求項３】
前記子機及び前記個人識別装置は、前記伝送線に対して同一の電圧変化を起こす第１、第２の呼出回路（１１、５１）をそれぞれ設け、
前記電圧検出回路は、電圧変化を検出すると前記子機側データ送受信回路に電源供給を行なって前記子機との通信を試行し、通信に成功した場合には前記子機からの呼出操作があったと認識して前記子機とのデータ送受信を開始するとともに呼出を前記居室親機で報知し、通信に失敗した場合には前記個人識別装置からの識別操作があったと認識して前記個人識別装置側データ送受信回路に電源供給を行なって前記個人識別装置とのデータ送受信を開始することを特徴とする請求項１記載のインターホンシステム。
【請求項４】
前記子機及び前記個人識別装置は、前記伝送線に対して同一の電圧変化を起こす第１、第２の呼出回路（１１、５１）をそれぞれ設け、
前記電圧検出回路は、電圧変化を検出すると前記個人識別装置側データ送受信回路に電源供給を行なって前記個人識別装置との通信を試行し、通信に成功した場合には前記個人識別装置からの識別操作があったと認識して前記個人識別装置とのデータ送受信を開始し、通信に失敗した場合には前記子機側データ送受信回路に電源供給を行なって前記子機との通信を試行し、通信に成功した場合には前記子機からの呼出操作があったと認識して前記子機とのデータ送受信を開始するとともに呼出を前記居室親機で報知し、さらに通信に失敗した場合には異常動作として待受状態に戻ることを特徴とする請求項１記載のインターホンシステム。
【請求項５】
前記子機及び前記個人識別装置は、前記伝送線に対して互いに異なる電圧変化を起こす第１、第２の呼出回路（１１、５１）をそれぞれ設け、
前記電圧検出回路は、電圧変化を検出すると、該当する電圧に応じて前記個人識別装置側データ送受信回路、前記子機側データ送受信回路の一方に電源供給を行なって前記個人識別装置、前記子機の対応する一方との通信を試行することを特徴とする請求項１記載のインターホンシステム。
【請求項６】
前記子機及び前記個人識別装置は、前記伝送線に対して互いに異なるパルス信号による電圧変化を起こす第１、第２の呼出回路（１１、５１）をそれぞれ設け、
前記電圧検出回路は、電圧変化を検出すると、該当するパルス信号に応じて前記個人識別装置側データ送受信回路、前記子機側データ送受信回路の一方に電源供給を行なって前記個人識別装置、前記子機の対応する一方との通信を試行することを特徴とする請求項１記載のインターホンシステム。
【請求項７】
前記個人識別装置は、前記伝送線が使用中のために前記個人識別装置が使用できないことを表示する子機使用中表示部（５５）を設けることを特徴とする請求項１乃至請求項６何れか１項記載のインターホンシステム。
【請求項８】
前記子機は、前記伝送線が使用中のために前記子機が使用できないことを表示する個人識別装置使用中表示部（２１）を設けることを特徴とする請求項１乃至請求項６何れか１項記載のインターホンシステム。
【発明の詳細な説明】
【技術分野】
【０００１】
本発明はインターホンシステムに係り、特に子機の近傍に暗証解錠装置、指紋照合ユニット等の個人識別装置を接続し、個人識別装置を居室親機に接続して電気錠解錠等のアクセスコントロールを実現することができるインターホンシステムに関する。
【背景技術】
【０００２】
従来から、居室親機と子機を接続する伝送線と居室親機とアクセスコントロール（個人識別装置）を接続する伝送線とが別々に配線されており、かつ居室親機側には子機とのデータ送受信を行なうための子機側データ送受信回路と、個人識別装置とのデータ送受信を行なうための個人識別装置側データ送受信回路とがそれぞれ別系統のラインにより接続されているインターホンシステムが知られている（例えば、特許文献１参照）。
【０００３】
特許文献１に記載されているインターホンシステムでは、ドアホン子機１と居室親機（留守時設定装置）４とが伝送線Ｌ１１により、また個人識別装置（指紋照合装置）３と居室親機（留守時設定装置）４とが伝送線Ｌ１３により別々に接続されている。また、子機側データ送受信回路、個人識別装置側データ送受信回路は居室親機（留守時設定装置）４側にそれぞれ別系統のラインにより接続されて設けられている。
【０００４】
【特許文献１】特開２０００−２５３１５９号公報（図１）
【発明の開示】
【発明が解決しようとする課題】
【０００５】
しかしながら、従来例のインターホンシステムにおいては、居室親機と子機を接続する伝送線と居室親機と個人識別装置（アクセスコントロール；ＡＣ）を接続する伝送線とが別々に配線されており、かつ居室親機側には子機とのデータ送受信を行なうための子機側データ送受信回路と、個人識別装置とのデータ送受信を行なうための個人識別装置側データ送受信回路の双方が常時待受状態である必要が生じ、消費電力の点で不利な回路構成であった。
【０００６】
本発明は、上述の難点を解消するためになされたもので、１つの電圧検出回路で２つの装置の起動を検出することにより省電力を実現させることができるインターホンシステムを提供することを目的としている。
【課題を解決するための手段】
【０００７】
本発明によるインターホンシステムは、まず第１の態様として、玄関に設置され居室呼出を行なう子機及び個人識別を行なう個人識別装置が、伝送線を介して子機から呼出され通話する居室親機と接続され、居室親機は、子機での呼出操作および個人識別装置での識別操作による電圧変化を検出する電圧検出回路と、電圧検出回路の検出結果に基づいて子機で呼出操作されたとき子機とのデータ送受信を行なうための子機側データ送受信回路及び個人識別装置で識別操作されたとき個人識別装置とのデータ送受信を行なうための個人識別装置側データ送受信回路にそれぞれ電源供給制御を行なう親機ＣＰＵとを備えることを特徴とする。
【０００８】
また本発明によるインターホンシステムは、第２の態様として、第１の態様において、子機及び個人識別装置は、伝送線に対して同一の電圧変化を起こす第１、第２の呼出回路をそれぞれ設け、電圧検出回路は、電圧変化を検出すると個人識別装置側データ送受信回路に電源供給を行なって個人識別装置との通信を試行し、通信に成功した場合には個人識別装置からの識別操作があったと認識して個人識別装置とのデータ送受信を開始し、通信に失敗した場合には子機からの呼出操作があったと認識して子機側データ送受信回路に電源供給を行なって子機とのデータ送受信を開始するとともに呼出を居室親機で報知することを特徴とする。
【０００９】
さらに本発明によるインターホンシステムは、第３の態様として、第１の態様において、子機及び個人識別装置は、伝送線に対して同一の電圧変化を起こす第１、第２の呼出回路をそれぞれ設け、電圧検出回路は、電圧変化を検出すると子機側データ送受信回路に電源供給を行なって子機との通信を試行し、通信に成功した場合には子機からの呼出操作があったと認識して子機とのデータ送受信を開始するとともに呼出を居室親機で報知し、通信に失敗した場合には個人識別装置からの識別操作があったと認識して個人識別装置側データ送受信回路に電源供給を行なって個人識別装置とのデータ送受信を開始することを特徴とする。
【００１０】
また本発明によるインターホンシステムは、第４の態様として、第１の態様において、子機及び個人識別装置は、伝送線に対して同一の電圧変化を起こす第１、第２の呼出回路をそれぞれ設け、電圧検出回路は、電圧変化を検出すると個人識別装置側データ送受信回路に電源供給を行なって個人識別装置との通信を試行し、通信に成功した場合には個人識別装置からの識別操作があったと認識して個人識別装置とのデータ送受信を開始し、通信に失敗した場合には子機側データ送受信回路に電源供給を行なって子機との通信を試行し、通信に成功した場合には子機からの呼出操作があったと認識して子機とのデータ送受信を開始するとともに呼出を居室親機で報知し、さらに通信に失敗した場合には異常動作として待受状態に戻ることを特徴とする。
【００１１】
さらに本発明によるインターホンシステムは、第５の態様として、第１の態様において、子機及び個人識別装置は、伝送線に対して互いに異なる電圧変化を起こす第１、第２の呼出回路をそれぞれ設け、電圧検出回路は、電圧変化を検出すると、該当する電圧に応じて個人識別装置側データ送受信回路、子機側データ送受信回路の一方に電源供給を行なって個人識別装置、子機の対応する一方との通信を試行することを特徴とする。
【００１２】
また本発明によるインターホンシステムは、第６の態様として、第１の態様において、子機及び個人識別装置は、伝送線に対して互いに異なるパルス信号による電圧変化を起こす第１、第２の呼出回路をそれぞれ設け、電圧検出回路は、電圧変化を検出すると、該当するパルス信号に応じて個人識別装置側データ送受信回路、子機側データ送受信回路の一方に電源供給を行なって個人識別装置、子機の対応する一方との通信を試行することを特徴とする。
【００１３】
さらに本発明によるインターホンシステムは、第７の態様として、第１乃至第６の態様において、個人識別装置は、伝送線が使用中のために個人識別装置が使用できないことを表示する子機使用中表示部を設けることを特徴とする。
【００１４】
また本発明によるインターホンシステムは、第８の態様として、第１乃至第６の態様において、子機は、伝送線が使用中のために子機が使用できないことを表示する個人識別装置使用中表示部を設けることを特徴とする。
【発明の効果】
【００１５】
本発明の第１の態様によれば、呼出ボタンを操作したときに子機側データ送受信回路、個人識別装置側データ送受信回路の一方に電源供給を行なうため、待受時の消費電力が低下し、省電力を実現させることができる。
【００１６】
また、本発明の第２の態様によれば、呼出ボタンを操作したときに個人識別装置側データ送受信回路に電源供給を行ない、呼出元を特定することから、１つの伝送線で子機とアクセスコントロールを接続することができる。
【００１７】
さらに、本発明の第３の態様によれば、呼出ボタンを操作したときに子機側データ送受信回路に電源供給を行ない、呼出元を特定することから、１つの伝送線で子機とアクセスコントロールを接続することができる。
【００１８】
また、本発明の第４の態様によれば、呼出ボタンを操作したときに子機側データ送受信回路及び個人識別装置側データ送受信回路に順次電源供給を行ない、呼出元を特定することから、１つの伝送線で子機とアクセスコントロールを接続することができるとともに、ノイズによる誤動作を検出することができる。
【００１９】
さらに、本発明の第５の態様によれば、呼出ボタンを操作したときに検出した電圧により子機側データ送受信回路または個人識別装置側データ送受信回路の何れかに電源供給を行なうため、待受時の消費電力が低下し、省電力を実現させることができる。
【００２０】
また、本発明の第６の態様によれば、呼出ボタンを操作したときに検出したパルス信号により子機側データ送受信回路または個人識別装置側データ送受信回路の何れかに電源供給を行なうため、待受時の消費電力が低下し、省電力を実現させることができる。
【００２１】
さらに、本発明の第７の態様によれば、通話中に個人識別装置の子機使用中表示部を動作させることから、１つの伝送線で子機とアクセスコントロールを同時に動作できない場合も相手側にその旨を通知することができる。
【００２２】
また、本発明の第８の態様によれば、個人識別装置が動作中に子機の個人識別装置使用中表示部を動作させることから、１つの伝送線で子機とアクセスコントロールを同時に動作できない場合も相手側にその旨を通知することができる。
【発明を実施するための最良の形態】
【００２３】
以下、本発明のインターホンシステムの好ましい実施の形態例について図面を参照して説明する。
【００２４】
まず第１の実施の形態として本発明のインターホンシステムは、図１の外観構成図に示すように、子機１と、個人識別装置５と、居室親機３とから構成されている。
【００２５】
子機１は子機呼出ボタン１１、子機マイク１２、子機スピーカ１３、カメラ１５、ＬＥＤ２１等を有している。
【００２６】
個人識別装置５はＡＣ呼出ボタン５１、個人識別部５２、ＡＣ・ＬＥＤ５５等を有している。
【００２７】
また、居室親機３は通話ボタン３０、モニタボタン３１、親機マイク３２、親機スピーカ３３、モニタ３５等を有している。そして、子機１と居室親機３は伝送線Ｌだけで接続されている。なお、子機１と個人識別装置５は伝送線Ｌ１で接続されている。
【００２８】
次に図２において子機１、個人識別装置５、居室親機３のそれぞれの内部構成についてブロック図を用いて説明する。
【００２９】
まず、子機１は住戸玄関に設置され、来訪者が住戸内の居住者を呼び出すための子機呼出ボタン（第１の呼出回路）１１、来訪者が居住者と通話するための子機マイク１２、居住者からの応答を来訪者へ伝達する子機スピーカ１３、来訪者と居住者との間の通話路を形成するための通話回路１４、来訪者の映像を撮影するカメラ１５、カメラ１５からの映像信号を変調する変調回路１６、子機のデータを送受信するための子機データ送受信回路１７、子機側あるいは親機側の各種信号を多重化若しくは分離する子機多重分離回路１８、子機内の各種動作を制御する子機ＣＰＵ１９、子機と居室親機との間の信号伝送を仲介するための子機インターフェース（ＩＦ）２０、来訪者と居住者が通話中かどうかを示す子機ＬＥＤ２１から構成されている。
【００３０】
このような構成の子機１において、子機呼出ボタン（第１の呼出回路）１１は子機ＣＰＵ１９と接続され、子機ＣＰＵ１９は通話回路１４、変調回路１６、子機データ送受信回路１７、子機ＬＥＤ２１と接続されている。また、通話回路１４は子機マイク１２、子機スピーカ１３と接続され、カメラ１５は変調回路１６と接続されている。そして、通話回路１４、変調回路１６、子機データ送受信回路１７は子機多重分離回路１８と接続され、子機多重分離回路１８は子機インターフェース（子機ＩＦ）２０と接続されている。
【００３１】
また、個人識別装置(アクセスコントロール；ＡＣ)５は住戸玄関に設置され、居住者若しくは居住者が認めた特定の来訪者（以下、認証登録者という）が居室親機へ信号伝送するためのＡＣ呼出ボタン（第２の呼出回路）５１、認証登録者の個人識別を行なうための個人識別部５２、ＡＣのデータを送受信するためのＡＣデータ送受信回路５３、子機とＡＣとの間の信号伝送を仲介するためのＡＣインターフェース（ＩＦ）５４、認証登録者と居室親機とが信号伝送中かどうかを示すＡＣ・ＬＥＤ５５、ＡＣ内の各種動作を制御するＡＣ・ＣＰＵ５６から構成されている。
【００３２】
このような構成の個人識別装置５において、ＡＣ呼出ボタン（第２の呼出回路）５１はＡＣ・ＣＰＵ５６と接続され、ＡＣ・ＣＰＵ５６は指紋照合等の個人識別部５２、ＡＣデータ送受信回路５３、ＡＣ・ＬＥＤ５５と接続されている。また、ＡＣデータ送受信回路５３はＡＣ・ＩＦ５４と接続されている。
【００３３】
さらに、居室親機３は住戸内に設置され、来訪者の呼出に居住者が応答するための通話ボタン３０、モニタを起動させるためのモニタボタン３１、子機あるいは個人識別装置からの呼出に応じて居住者が来訪者と通話するための親機マイク３２、来訪者からの応答を居住者へ伝達する親機スピーカ３３、来訪者と居住者との間で通話路を形成するための通話回路３４、来訪者の映像を出画するモニタ３５、子機のカメラにより撮影された来訪者の映像信号を復調する復調回路３６、子機あるいは個人識別装置との間でデータを送受信するための子機側データ送受信回路３７、個人識別装置側（ＡＣ側）データ送受信回路３８、親機ＣＰＵ４４の制御により居室親機内に電源を供給する親機電源供給回路３９、同じく親機ＣＰＵ４４の制御により子機あるいは個人識別装置（ＡＣ）へ電源を供給する子機／ＡＣ電源供給回路４０、子機あるいは個人識別装置からの呼出による電圧変化を検出する電圧検出回路４１、子機側や個人識別装置側あるいは居室親機側の各種信号を多重化若しくは分離する親機多重分離回路４２、居室親機と子機との間の信号伝送を仲介するための親機インターフェース（ＩＦ）４３、居室親機内の各種動作を制御する親機ＣＰＵ４４から構成されている。
【００３４】
このような構成の居室親機３において、電圧検出回路４１は親機ＣＰＵ４４と接続されている。親機ＣＰＵ４４は通話ボタン３０、モニタボタン３１、親機スピーカ３３、通話回路３４、モニタ３５、復調回路３６、子機側データ送受信回路３７、ＡＣ側データ送受信回路３８、親機電源供給回路３９、子機／ＡＣ電源供給回路４０とそれぞれ接続されている。また、通話回路３４は親機マイク３２、親機スピーカ３３と接続されており、復調回路３６はモニタ３５と接続されている。そして、通話回路３４、復調回路３６、子機側データ送受信回路３７は親機多重分離回路４２に接続され、ＡＣ側データ送受信回路３８、子機／ＡＣ電源供給回路４０は親機ＩＦ４３に接続されている。
【００３５】
以上のように接続されている子機１、個人識別装置（ＡＣ）５、居室親機３において、子機１と個人識別装置（ＡＣ）５は伝送線Ｌ１により接続されており、子機１と居室親機３は伝送線Ｌにより接続されている。従って、本発明では従来のインターホンシステムのように子機１と個人識別装置（ＡＣ）５とがそれぞれ居室親機３と別々の伝送線により接続されているのではなく、居室親機３との接続は子機１と伝送線Ｌのみにより接続されている。なお、前記した伝送線Ｌは居室親機３の電圧検出回路４１と接続されている。
【００３６】
このように構成されたインターホンシステムにおいて、以下動作を説明する。
【００３７】
（動作１）
まず、動作１として子機１の動作について説明すると、待受時は、省電力モードに遷移しており、居室親機３の回路のうち復調回路３６、モニタ３５、通話回路３４、親機スピーカ３３、親機マイク３２、親機ＩＦ４３、子機側データ送受信回路３７、個人識別装置側データ送受信回路３８は動作を停止している。
【００３８】
来訪者が居住者を呼出するために子機１の呼出ボタン１１を押下して呼出を行なうと、呼出信号が伝送線Ｌを介して居室親機３へ送信されて電圧検出回路４１が呼出信号を検出し、当該呼出信号を親機ＣＰＵ４４に伝送する。
【００３９】
親機ＣＰＵ４４は電圧検出回路４１からの呼出信号を受信すると、子機側データ送受信回路３７、親機多重分離回路４２、個人識別装置側データ送受信回路３８を能動とし、伝送線Ｌを介して子機１と、また伝送線Ｌ１を介して子機１から個人識別装置５に対してデータ通信を開始する。動作１においては個人識別装置５は動作していないことから個人識別装置側データ送受信回路３８のデータ（識別データ）通信には応答がなく、子機１は子機側データ送受信回路３７のデータ（呼出データ）通信に応答することにより、親機ＣＰＵ４４は子機１が呼出信号を送出したことを確認し、通話回路３４、復調回路３６、モニタ３５を能動とし、呼出信号を鳴動するとともに、子機１に電源を供給してカメラ１５を能動とし、子機１の前にいる来訪者の映像をモニタ３５に映し出す。モニタに映し出された人物が入居可能な人物であれば住居者による居室親機側からの操作により例えば電気錠を解錠できるようにする。
【００４０】
（動作２）
次に動作２として個人識別装置５の動作について説明する。待受時は、子機１の動作で述べた場合と同様の動きである。
【００４１】
玄関にいる居住者（認証登録者）が個人識別装置５のＡＣ呼出ボタン５１を押下して個人識別装置５の起動を行なうと、呼出信号が伝送線Ｌ１及び伝送線Ｌを介して居室親機３へ送信されて電圧検出回路４１が呼出信号を検出し、当該呼出信号を親機ＣＰＵ４４に伝送する。
【００４２】
親機ＣＰＵ４４は電圧検出回路４１からの呼出信号を受信すると、子機側データ送受信回路３７、親機多重分離回路４２、個人識別装置側データ送受信回路３８を能動とし、伝送線Ｌを介して子機１と、また伝送線Ｌ１を介して子機１から個人識別装置５に対してデータ通信を開始する。動作２の場合子機１は動作していないことから子機側データ送受信回路３７のデータ通信には応答がなく、個人識別装置５は個人識別装置側データ送受信回路３８のデータ通信に応答することにより、親機ＣＰＵ４４は個人識別装置５が呼出信号を送出したことを確認し、個人識別装置５に電源を供給して個人識別部５２を能動とし、個人識別装置側データ送受信回路３８を継続動作させて、個人識別部５２での入力データを受信して個人識別を継続する。個人識別の結果住居内に入居可能であれば例えば電気錠を解錠して入居できるようにする。
【００４３】
（動作３）
上記した子機１及び個人識別装置５の動作では子機側データ送受信回路３７、個人識別装置側データ送受信回路３８を同時に起動させたが、動作３の場合は更なる省電力対策として、何れか一方のデータ送受信回路のみを起動して、子機１と個人識別装置５の一方が動作したかを確認し、確認が取れなかった場合には他方が起動したとして親機ＣＰＵ４４が判断することも可能である。
【００４４】
（動作４）
また、子機側データ送受信回路３７、個人識別装置側データ送受信回路３８を同時に起動させる方式に対して、動作４としてデータの信頼性を上げるため、何れか一方のデータ送受信回路のみを起動して、子機１と個人識別装置５の一方が動作したかを確認し、確認が取れなかった場合には他方のデータ送受信回路を起動して、子機１と個人識別装置５の他方が動作したかを確認することも可能である。この場合に、子機１と個人識別装置５の双方とも確認が取れなかった時には異常動作と判断して待受状態に戻るようにしてもよい。
【００４５】
（動作５）
動作１〜４では子機１あるいは個人識別装置５からの呼出信号では電圧変化が同一であるため子機１と個人識別装置５の何れかから呼出があったかを認識することができないが、動作５として子機１と個人識別装置５のそれぞれのＣＰＵ１９、５６において、呼出時の伝送線Ｌの電圧を変化させたり、何れかまたは双方の電圧の変化をパルス信号とすることによって電圧検出回路４１が識別可能な状態にした場合には、動作１〜４のような手順を踏まなくても子機１と個人識別装置５の何れが動作したかを容易に把握することができ、居室親機各回路の負担が軽くなるとともに、動作が迅速化できる。
【００４６】
（動作６）
次に子機１若しくは個人識別装置５のどちらかが使用中であるときの表示動作について説明する。まず子機１が使用中の場合には、例えば子機ＣＰＵ１９からの指令により個人識別装置５のＬＥＤ５５を点灯させて子機１が使用中であることを表示させるとともに、ＡＣ・ＣＰＵ５６に対してＡＣ呼出ボタン５１の信号を伝送しないように指示する。このような動作により、子機１が使用中に個人識別装置５の動作を抑制することができるとともに、使用不可であることが視覚的に確認することができる。
【００４７】
なお、使用中の信号発生元は子機ＣＰＵ１９でなく、親機ＣＰＵ４４や子機ＩＦ２０でもよい。
【００４８】
さらに、個人識別装置５が使用中に子機１の使用を制限するために子機１のＬＥＤ２１を点灯させる場合についても同様である。
【００４９】
上記した実施の形態では子機１と居室親機３とが伝送線Ｌにより接続されている例を説明したが、本発明では個人識別装置５と居室親機３とが伝送線Ｌにより接続されていても差し支えない。この場合は、子機１は個人識別装置５と伝送線Ｌ１で接続される。
【００５０】
なお、以上述べた動作例において、子機や個人識別装置はそれぞれ１台としたが、もちろん複数台あってもよい。即ち、複数台の子機と居室親機をそれぞれ接続してもよいし、例えば子機（及び個人識別装置）が３台ある場合に第１の子機（及び第１の個人識別装置）は子機と居室親機とが接続されるようにし、第２の子機（及び第２の個人識別装置）は個人識別装置と居室親機とが接続されるようにし、第３の子機（及び第３の個人識別装置）は子機と個人識別装置の伝送線上から居室親機と接続されるような接続形態としても差し支えない。
【００５１】
その他、子機にカメラがなく、音声だけの通話でも差し支えがなく、さらに表示部としてＬＥＤを用いたが液晶等でも構わない。
【００５２】
次に第２の実施の形態として個人識別装置５が子機１内に内蔵されている場合について説明する。
【００５３】
図３に第２の実施の形態についてのブロック図を示す。図３において第１の実施の形態における図２で説明した各構成部分と同一部分は同一の符号を付与する。また、図３において居室親機３は第１の実施の形態と同一のブロック図のため説明を省略する。
【００５４】
第２の実施の形態においては、個人識別装置１０が二点鎖線で示されるように子機１内に内蔵されている。この個人識別装置（ＡＣ）１０は、認証登録者が居室親機へ信号伝送するためのＡＣ呼出ボタン（呼出回路）１０１、認証登録者の個人識別を行なうための個人識別部１０２、ＡＣのデータを送受信するためのＡＣデータ送受信回路１０３、認証登録者と居室親機とが信号伝送中かどうかを示すＡＣ・ＬＥＤ１０５、ＡＣ内の各種動作を制御するＡＣ・ＣＰＵ１０６から構成されている。なお、第１の実施の形態の図２において設けられていたＡＣ・ＩＦに相当するＩＦは省略ができ、ＡＣデータ送受信回路１０３と子機１のＩＦ１０４とを直接接続することができる。また、この第２の実施の形態に関する各動作については第１の実施の形態のところで説明した動作と同様である。
【００５５】
このように個人識別装置１０を子機１内に内蔵させた場合には、住戸玄関における機器の配置が効率化でき、美観の点からも好ましいものとなる。
【００５６】
また、第３の実施の形態について図４を用いて説明する。図４において第１の実施の形態における図２で説明した各構成部分と同一部分は同一の符号を付与する。また、図４において子機１及び個人識別装置５は第１の実施の形態と同一のブロック図のため説明を省略する。
【００５７】
第３の実施の形態は図４に示すように、ＡＣ側データ送受信回路３８が親機ＣＰＵ４４と接続されているのではなく個人識別サーバ４５に接続され、個人識別サーバ４５が親機ＣＰＵ４４に接続されている。個人識別サーバ４５は例えば居住者の指紋などの個人データを格納しておくもので、居住者（認証登録者）が指紋照合装置（個人識別装置）で指紋認証を行なった時に登録済みのデータかどうかを検証し、登録済みのデータであれば例えば住戸玄関の電気錠を解錠するという動作をするものである。
【００５８】
以上、本発明の実施の形態を述べてきたが、本発明は上記した実施の形態に限定されるものではない。要するに本発明の目的を達成するならば上記した実施の形態に限定して考える必要はなく、本発明の趣旨の範囲内で最も効果を奏するような各種の形態を採用することができる。
【図面の簡単な説明】
【００５９】
【図１】本発明の外観構成を示す図である。
【図２】本発明の一実施の形態を説明するブロック図である。
【図３】本発明の他の実施の形態を説明するブロック図である。
【図４】本発明のさらに他の実施の形態を説明するブロック図である。
【符号の説明】
【００６０】
１      子機
３      居室親機
５      個人識別装置
１１    子機呼出ボタン
１２    子機マイク
１３    子機スピーカ
１５    カメラ
２１    子機ＬＥＤ
３０    通話ボタン
３１    モニタボタン
３２    親機マイク
３３    親機スピーカ
３５    モニタ
５１    ＡＣ呼出ボタン
５２    個人識別部
５５    ＡＣ・ＬＥＤ
【図１】
0004571556.tif 000002
【図２】
0004571556.tif 000003
【図３】
0004571556.tif 000004
【図４】
0004571556.tif 000005